(57)【要約】【課題】ショートカットボタンの押下により設定項目の設定値の変更を行う場合であっても、当該ショートカットボタンの押下により変更された設定項目が設定項目リストのどの位置に位置しているかをユーザーに知らせる。【解決手段】情報処理装置は、表示部と、表示制御部と、操作受付部と、設定値受付部とを備える。表示制御部は、ショートカットボタンに対する選択操作を受け付けた場合、（i）表示部に表示させる画面を設定画面から、ショートカットボタンに対応付けられた設定項目に対する設定値を変更するための詳細画面に変更し、（ii）詳細画面の表示をショートカットボタンに対応付けられた設定値に変更した表示に変更し、（iii）表示部に表示させる画面を詳細画面から、設定項目を示す画像中の現在設定されている設定値を示す情報をショートカットボタンに対応付けられた設定値に変更した設定画面に変更する。【選択図】図８
2018186402.tif 000002
【特許請求の範囲】
【請求項１】
本情報処理装置において設定可能な複数の設定項目に対する設定値の変更を受け付けるための設定画面を表示する表示部と、
前記表示部による表示動作を制御する表示制御部と、
ユーザー操作を受け付ける操作受付部と、
前記操作受付部により受け付けられたユーザー操作に応じて、前記複数の設定項目に対する設定値の変更を受け付ける設定値受付部と、を備え、
前記設定画面には、前記複数の設定項目のそれぞれを示す画像が列挙されてなる設定項目リストであって、前記複数の設定項目のそれぞれを示す画像中に現在設定されている設定値を示す情報が示されている設定項目リストと、予め定められた設定項目に対する予め定められた設定値に対応付けられたショートカットボタンとが表示され、
前記表示制御部は、（i）前記設定項目リスト中の前記設定項目を示す複数の画像のうちの１つの画像に対する選択操作を前記操作受付部が受け付けた場合、前記表示部に表示させる画面を前記設定画面から、当該選択された１つの画像に示された設定項目に対する設定値を変更するための詳細画面に変更させ、（ii）前記ショートカットボタンに対する選択操作を前記操作受付部が受け付けた場合、（ii-i）前記表示部に表示させる画面を前記設定画面から、前記ショートカットボタンに対応付けられた設定項目に対する設定値を変更するための前記詳細画面に変更し、（ii-ii）その後、前記詳細画面において、前記ショートカットボタンに対応付けられた設定項目の設定値を、前記ショートカットボタンに対応付けられた設定値に変更した表示に変更し、（ii-iii）その後、前記表示部に表示させる画面を前記詳細画面から、前記設定項目リスト中の前記ショートカットボタンに対応付けられた設定項目を示す画像中の現在設定されている設定値を示す情報を前記ショートカットボタンに対応付けられた設定値に変更した前記設定画面に変更し、
前記設定値受付部は、前記ショートカットボタンに対する選択操作を前記操作受付部が受け付けた場合、前記選択されたショートカットボタンに対応付けられた設定値の変更を受け付ける、情報処理装置。
【請求項２】
前記表示制御部は、前記ショートカットボタンが複数の予め定められた設定項目に対応付けられている場合において、当該ショートカットボタンに対する選択操作を前記操作受付部が受け付けた時、当該ショートカットボタンに対応付けられている前記複数の予め定められた設定項目のうちのそれぞれの設定項目毎に、順番に前記（ii-i）、（ii-ii）、および（ii-iii）の処理を実行する、請求項１に記載の情報処理装置。
【請求項３】
前記表示制御部は、前記（ii-i）、（ii-ii）、および（ii-iii）の処理を、予め定められた時間の間に実行する、請求項１または請求項２に記載の情報処理装置。
【請求項４】
前記表示制御部は、前記（ii-i）、（ii-ii）、および（ii-iii）の処理中に、前記設定画面または前記詳細画面に対する選択操作を前記操作受付部が受け付けた場合、前記（ii-i）、（ii-ii）、および（ii-iii）の処理における前記設定画面と前記詳細画面との画面の切り替えを停止させる、請求項１乃至請求項３の何れか１項に記載の情報処理装置。
【請求項５】
前記表示制御部は、前記ショートカットボタンに対する選択操作を前記操作受付部が受け付けた場合において、当該選択操作が予め定められた種別の選択操作である時に、前記（ii-i）、（ii-ii）、および（ii-iii）の処理を行い、当該選択操作が前記予め定められた種別以外の選択操作である時に、前記設定画面の表示を、前記設定項目リスト中の前記ショートカットボタンに対応付けられた設定項目を示す画像中の現在設定されている設定値を示す情報を前記ショートカットボタンに対応付けられた設定値に変更した表示にする、請求項１乃至請求項４の何れか１項に記載の情報処理装置。
【請求項６】
記録紙に画像を形成する画像形成部と、
請求項１乃至請求項５の何れか１項に記載の情報処理装置と、を備え、
前記表示部は、前記画像形成部による画像形成に関する複数の設定項目に対する設定値の変更を受け付けるための設定画面を表示し、
前記設定値受付部は、前記操作受付部により受け付けられたユーザー操作に応じて、前記画像形成部による画像形成に関する複数の設定項目に対する設定値の変更を受け付け、
前記画像形成部は、前記設定値受付部が受け付けた設定項目の設定値で画像形成動作を実行する、画像形成装置。
【請求項７】
本情報処理装置において設定可能な複数の設定項目に対する設定値の変更を受け付けるための設定画面を表示する表示部と、
前記表示部による表示動作を制御する表示制御部と、
ユーザー操作を受け付ける操作受付部と、
前記操作受付部により受け付けられたユーザー操作に応じて、前記複数の設定項目に対する設定値の変更を受け付ける設定値受付部としてコンピューターを機能させ、
前記設定画面には、前記複数の設定項目のそれぞれを示す画像が列挙されてなる設定項目リストであって、前記複数の設定項目のそれぞれを示す画像中に現在設定されている設定値を示す情報が示されている設定項目リストと、予め定められた設定項目に対する予め定められた設定値に対応付けられたショートカットボタンとが表示され、
更に、前記表示制御部が、（i）前記設定項目リスト中の前記設定項目を示す複数の画像のうちの１つの画像に対する選択操作を前記操作受付部が受け付けた場合、前記表示部に表示させる画面を前記設定画面から、当該選択された１つの画像に示された設定項目に対する設定値を変更するための詳細画面に変更させ、（ii）前記ショートカットボタンに対する選択操作を前記操作受付部が受け付けた場合、（ii-i）前記表示部に表示させる画面を前記設定画面から、前記ショートカットボタンに対応付けられた設定項目に対する設定値を変更するための前記詳細画面に変更し、（ii-ii）その後、前記詳細画面において、前記ショートカットボタンに対応付けられた設定項目の設定値を、前記ショートカットボタンに対応付けられた設定値に変更した表示に変更し、（ii-iii）その後、前記表示部に表示させる画面を前記詳細画面から、前記設定項目リスト中の前記ショートカットボタンに対応付けられた設定項目を示す画像中の現在設定されている設定値を示す情報を前記ショートカットボタンに対応付けられた設定値に変更した前記設定画面に変更し、
前記設定値受付部が、前記ショートカットボタンに対する選択操作を前記操作受付部が受け付けた場合、前記選択されたショートカットボタンに対応付けられた設定値の変更を受け付けるようにコンピューターを機能させる、情報処理プログラム。
【発明の詳細な説明】
【技術分野】
【０００１】
本発明は、情報処理装置、画像形成装置、および情報処理プログラムに関し、特に、複数の設定項目に対する設定項目について設定値を変更する技術に関する。
【背景技術】
【０００２】
近年、機器の高機能化に伴い、多数の設定項目を有する画像形成装置、スマートフォンなどの携帯端末、およびパーソナルコンピューターなどが登場している。これらの機器は液晶ディスプレイ（ＬＣＤ：Liquid Crystal Display）や有機ＥＬ（ＯＬＥＤ：Organic Light-Emitting Diode）などの表示部を有し、当該表示部に、複数の設定項目を列挙した設定項目リストを含む設定画面を表示させている（例えば、下記の特許文献１を参照）。
【先行技術文献】
【特許文献】
【０００３】
【特許文献１】特開２００８−１８５４１号公報
【発明の概要】
【発明が解決しようとする課題】
【０００４】
上記の設定画面には、予め定められた設定項目に対する予め定められた設定値に対応付けられたショートカットボタンが設けられている場合がある。上記のショートカットボタンが押下された場合、一般的な装置では、設定項目の設定値をショートカットボタンに対応付けられた設定値に変更する処理を行う。
【０００５】
しかしながら、上記の処理では、ショートカットボタンの押下という操作を行うことで、設定項目リストのどの位置に位置している設定項目の設定値が変更されたのかをユーザーが知ることができない。このため、その後ユーザーがショートカットボタンを用いずに設定項目の設定値を変更する場合には、設定項目リスト中のどの位置に変更したい設定項目が位置しているのかを特定する作業が必要となり、設定値の変更に手間がかかってしまう。
【０００６】
本発明は、上記の事情に鑑みなされたものであり、ショートカットボタンの押下により設定項目の設定値の変更を行う場合であっても、当該ショートカットボタンの押下により変更された設定項目が設定項目リストのどの位置に位置しているかをユーザーに知らせることを可能にすることを目的とする。
【課題を解決するための手段】
【０００７】
本発明の一局面にかかる情報処理装置は、本情報処理装置において設定可能な複数の設定項目に対する設定値の変更を受け付けるための設定画面を表示する表示部と、前記表示部による表示動作を制御する表示制御部と、ユーザー操作を受け付ける操作受付部と、前記操作受付部により受け付けられたユーザー操作に応じて、前記複数の設定項目に対する設定値の変更を受け付ける設定値受付部と、を備え、前記設定画面には、前記複数の設定項目のそれぞれを示す画像が列挙されてなる設定項目リストであって、前記複数の設定項目のそれぞれを示す画像中に現在設定されている設定値を示す情報が示されている設定項目リストと、予め定められた設定項目に対する予め定められた設定値に対応付けられたショートカットボタンとが表示され、前記表示制御部は、（i）前記設定項目リスト中の前記設定項目を示す複数の画像のうちの１つの画像に対する選択操作を前記操作受付部が受け付けた場合、前記表示部に表示させる画面を前記設定画面から、当該選択された１つの画像に示された設定項目に対する設定値を変更するための詳細画面に変更させ、（ii）前記ショートカットボタンに対する選択操作を前記操作受付部が受け付けた場合、（ii-i）前記表示部に表示させる画面を前記設定画面から、前記ショートカットボタンに対応付けられた設定項目に対する設定値を変更するための前記詳細画面に変更し、（ii-ii）その後、前記詳細画面において、前記ショートカットボタンに対応付けられた設定項目の設定値を、前記ショートカットボタンに対応付けられた設定値に変更した表示に変更し、（ii-iii）その後、前記表示部に表示させる画面を前記詳細画面から、前記設定項目リスト中の前記ショートカットボタンに対応付けられた設定項目を示す画像中の現在設定されている設定値を示す情報を前記ショートカットボタンに対応付けられた設定値に変更した前記設定画面に変更し、前記設定値受付部は、前記ショートカットボタンに対する選択操作を前記操作受付部が受け付けた場合、前記選択されたショートカットボタンに対応付けられた設定値の変更を受け付ける、情報処理装置である。
【０００８】
また、本発明の別の一局面にかかる画像形成装置は、記録紙に画像を形成する画像形成部と、上記の情報処理装置と、を備え、前記表示部は、前記画像形成部による画像形成に関する複数の設定項目に対する設定値の変更を受け付けるための設定画面を表示し、前記設定値受付部は、前記操作受付部により受け付けられたユーザー操作に応じて、前記画像形成部による画像形成に関する複数の設定項目に対する設定値の変更を受け付け、前記画像形成部は、前記設定値受付部が受け付けた設定項目の設定値で画像形成動作を実行する、画像形成装置である。
【０００９】
また、本発明の別の一局面にかかる情報処理プログラムは、本情報処理装置において設定可能な複数の設定項目に対する設定値の変更を受け付けるための設定画面を表示する表示部と、前記表示部による表示動作を制御する表示制御部と、ユーザー操作を受け付ける操作受付部と、前記操作受付部により受け付けられたユーザー操作に応じて、前記複数の設定項目に対する設定値の変更を受け付ける設定値受付部としてコンピューターを機能させ、前記設定画面には、前記複数の設定項目のそれぞれを示す画像が列挙されてなる設定項目リストであって、前記複数の設定項目のそれぞれを示す画像中に現在設定されている設定値を示す情報が示されている設定項目リストと、予め定められた設定項目に対する予め定められた設定値に対応付けられたショートカットボタンとが表示され、更に、前記表示制御部が、（i）前記設定項目リスト中の前記設定項目を示す複数の画像のうちの１つの画像に対する選択操作を前記操作受付部が受け付けた場合、前記表示部に表示させる画面を前記設定画面から、当該選択された１つの画像に示された設定項目に対する設定値を変更するための詳細画面に変更させ、（ii）前記ショートカットボタンに対する選択操作を前記操作受付部が受け付けた場合、（ii-i）前記表示部に表示させる画面を前記設定画面から、前記ショートカットボタンに対応付けられた設定項目に対する設定値を変更するための前記詳細画面に変更し、（ii-ii）その後、前記詳細画面において、前記ショートカットボタンに対応付けられた設定項目の設定値を、前記ショートカットボタンに対応付けられた設定値に変更した表示に変更し、（ii-iii）その後、前記表示部に表示させる画面を前記詳細画面から、前記設定項目リスト中の前記ショートカットボタンに対応付けられた設定項目を示す画像中の現在設定されている設定値を示す情報を前記ショートカットボタンに対応付けられた設定値に変更した前記設定画面に変更し、前記設定値受付部が、前記ショートカットボタンに対する選択操作を前記操作受付部が受け付けた場合、前記選択されたショートカットボタンに対応付けられた設定値の変更を受け付けるようにコンピューターを機能させる、情報処理プログラムである。
【発明の効果】
【００１０】
本発明によれば、ショートカットボタンの押下により設定項目の設定値の変更を行う場合であっても、当該ショートカットボタンの押下により変更された設定項目が設定項目リストのどの位置に位置しているかをユーザーに知らせることができる。
【図面の簡単な説明】
【００１１】
【図１】本発明の一実施形態にかかる情報処理装置を備えた画像形成装置の外観を示す斜視図である。
【図２】本発明の一実施形態にかかる情報処理装置を備えた画像形成装置の主要内部構成を示す機能ブロック図である。
【図３】本発明の一実施形態にかかる画像形成装置の表示部に表示される設定画面の一例を示す図である。
【図４】本発明の一実施形態にかかる画像形成装置の表示部に表示される設定画面のスクロール表示領域に表示される設定項目リストの一例を示す図である。
【図５】本発明の一実施形態にかかる画像形成装置の表示部に表示される設定画面のスクロール表示領域に表示される設定項目リストの一例を示す図である。
【図６】本発明の一実施形態にかかる画像形成装置の表示部に表示される詳細画面の一例を示す図である。
【図７】一般の画像形成装置の表示部に表示される設定画面の一例を示す図である。
【図８】本発明の一実施形態にかかる情報処理装置および画像形成装置１の動作の流れを示すフローチャートである。
【図９】（Ａ）および（Ｂ）は、本発明の一実施形態にかかる画像形成装置の表示部に表示される画面の一例を示す図である。
【図１０】（Ａ）および（Ｂ）は、本発明の一実施形態にかかる画像形成装置の表示部に表示される画面の一例を示す図である。
【図１１】（Ａ）および（Ｂ）は、本発明の一実施形態にかかる画像形成装置の表示部に表示される画面の一例を示す図である。
【発明を実施するための形態】
【００１２】
以下、本発明の一実施形態にかかる情報処理装置、画像形成装置、および情報処理プログラムについて図面を参照して説明する。
【００１３】
図１は、本発明の一実施形態にかかる情報処理装置を備えた画像形成装置の外観を示す斜視図である。図２は、本発明の一実施形態にかかる情報処理装置を備えた画像形成装置の主要内部構成を示す機能ブロック図である。
【００１４】
画像形成装置１は、例えば、コピー機能、プリンター機能、スキャナー機能、およびファクシミリ機能のような複数の機能を兼ね備えた複合機である。図１に示すように、画像形成装置１は、装置本体２の内部に、不図示のコンタクトガラスに載置された原稿などを光学的に読み取って画像データを生成する原稿読取部１０や、電子写真方式やインクジェット方式などにより記録紙上に画像を形成する画像形成部３０などを備えている。
【００１５】
また、装置本体２の前方には、表示部７０および操作キー部７１を含む操作パネル７２が配置されている。
【００１６】
表示部７０は、液晶ディスプレイや有機ＥＬディスプレイで構成されている。当該表示部７０には、原稿読み取り指示や画像形成指示を入力するための操作画面や、各種の設定を行うための設定画面などが表示される。
【００１７】
操作キー部７１は、例えば、上記の操作画面や設定画面などを呼び出すスタートキー、操作画面や設定画面などを構成するＧＵＩのフォーカスを移動させる矢印キー、操作画面や設定画面などを構成するＧＵＩに対して確定操作を行う決定キー、数値キーなどであり、表示部７０に表示される操作画面や設定画面などに対するユーザー操作の入力を受け付ける。
【００１８】
また、表示部７０の前面に、所謂抵抗膜方式や静電容量方式などのタッチパネルを配置してもよい。この場合、当該タッチパネルに対するタッチ操作により、表示部７０に表示される操作画面や設定画面などに対するユーザー操作の入力が受け付けられる。
【００１９】
画像形成装置１は、上記の原稿読取部１０および画像形成部３０に加えて、ＨＤＤ５０、通信インターフェイス６０、および制御ユニット１００などを備えている。
【００２０】
ＨＤＤ５０は、大容量の記憶装置であって、原稿読取部１０によって読み取られた画像データや、制御ユニット１００の後述する設定値受付部１０４が受け付けた設定値を記憶する。
【００２１】
通信インターフェイス６０は、ＬＡＮチップなどの通信モジュールを備え、ネットワーク接続された他の画像形成装置やパーソナルコンピューターなどとの間でデータ通信を行う。
【００２２】
制御ユニット１００は、プロセッサー、ＲＡＭ（Random Access Memory）、ＲＯＭ（Read Only Memory）、および専用のハードウェア回路を含んで構成される。プロセッサーは、例えば、ＣＰＵ（Central Processing Unit）、ＦＰＧＡ（Field Programmable Gate Array）、ＡＳＩＣ（Application Specific Integrated Circuit）などである。制御ユニット１００は、ＨＤＤ５０に記憶されている情報処理プログラムなどのプログラムに従った上記プロセッサーによる動作により、制御部１０１、操作受付部１０２、表示制御部１０３、および設定値受付部１０４として機能する。但し、上記の各構成は、制御ユニット１００によるプログラムに従った動作によらず、それぞれハードウェア回路により構成してもよい。
【００２３】
制御部１０１は、画像形成装置１全体の動作制御を司るものである。例えば、制御部１０１は、ＨＤＤ５０に記憶された各設定値に基づき、画像形成部３０などを制御して、ユーザー所望の画像を記録紙上に形成させる。
【００２４】
操作受付部１０２は、操作キー部７１や表示部７０の前面に配置されたタッチパネルから出力される信号に基づき、ユーザーにより入力されたユーザー操作を特定する。そして、操作受付部１０２は、特定したユーザー操作を受け付け、当該ユーザー操作に対応する制御信号を表示制御部１０３や設定値受付部１０４などに出力する。
【００２５】
表示制御部１０３は、操作受付部１０２が受け付けたユーザー操作に応じて、表示部７０による表示動作を制御する機能を有する。
【００２６】
設定値受付部１０４は、操作受付部１０２により受け付けられたユーザー操作に応じて、画像形成装置１において設定可能な複数の設定項目に対する設定値の変更を受け付ける機能を有する。
【００２７】
ここで図３は、表示制御部１０３による制御のもとで表示部７０に表示される画面の一例を示す図である。本図に示す例では、原稿を読み取って画像データを生成するとともに当該生成した画像データに基づく画像を記録紙に形成する処理、すなわちコピー処理を実行する際の設定を行うための設定画面Ｄ１が示されている。
【００２８】
設定画面Ｄ１には、操作受付部１０２が受け付けたスクロール操作に応じて、予め定められたスクロール画像が表示制御部１０３による制御のもとでスクロール表示されるスクロール表示領域ｄ１０が配置されている。当該スクロール表示領域ｄ１０には、予め定められたスクロール画像として、コピー処理を実行する際に設定可能な複数の設定項目がスクロール方向（紙面の上下方向）に沿って列挙されてなる設定項目リストが表示されている。
【００２９】
図４は、スクロール表示領域ｄ１０に表示される設定項目リストの一例を示す図である。本図に示す設定項目リストＤ２は、コピー処理を実行する際に設定可能な設定項目を示した画像ｄ１１〜ｄ２３を含んでいる。また、設定項目リストＤ２には、複数の設定項目のそれぞれについて現在設定されている設定値（デフォルトの設定値）を示す情報が示されている。例えば画像ｄ１８は、記録紙を給紙する給紙カセットを設定する設定項目「Paper Selection」のデフォルトの設定値として「Cassette 1」が設定されていることが示されている。また例えば画像ｄ２２は、記録紙に画像を形成する際のカラーを設定する設定項目「Color」のデフォルトの設定値として「Auto Color」が設定されていることが示されている。
【００３０】
ここで、表示部７０のサイズには限りがあるため、設定項目リストＤ２の全範囲をスクロール表示領域ｄ１０に一度に表示できない。このため本図に示すように、表示制御部１０３は、設定項目リストＤ２の一部の範囲（図中の表示範囲）を表示画面としてスクロール表示領域ｄ１０に表示させ、操作受付部１０２がユーザーからのスクロール操作を受け付けたときにスクロール表示領域ｄ１０に表示される表示画面をスクロール表示させる。例えば、操作受付部１０２がユーザーから下方向へのスクロール操作を受け付けた場合、設定項目リストＤ２の表示範囲は図５に示すように変わる。
【００３１】
設定値受付部１０４は、上記のスクロール表示領域ｄ１０に示された設定項目の中から操作受付部１０２が１つの設定項目の選択操作を受け付けた場合、当該選択された１つの設定項目の設定値を変更する。例えば、操作受付部１０２が設定項目「Paper Selection」を示す画像ｄ１８に対する選択操作（押下操作）を受け付けた場合、設定値受付部１０４は、設定項目「Paper Selection」の設定値を変更する。具体的には、設定値受付部１０４は、操作受付部１０２が画像ｄ１８に対する選択操作を受け付ける毎に設定値を「Cassette 1」→「Cassette 2」→「Cassette 3」→「Cassette 1」というように一つずつ変更する。設定値の変更が行われた場合、設定値受付部１０４は、変更後の設定値をＨＤＤ５０に記憶させる。
【００３２】
また、表示制御部１０３は、設定項目リストＤ２中の設定項目を示す複数の画像のうちの１つの画像に対する選択操作を操作受付部１０２が受け付けた場合、表示部７０に表示させる画面を設定画面Ｄ１から、当該選択された１つの画像に示された設定項目に対する設定値を変更するための詳細画面に変更させてもよい。設定値受付部１０４は、この詳細画面に対するユーザー操作に応じて設定値の変更を受け付ける。
【００３３】
図６は、上記の詳細画面の一例を示す図である。本図に示す詳細画面Ｄ３は、設定項目リストＤ２中の「Combine」の設定項目を示す画像ｄ１３が選択された場合に表示される画面である。当該詳細画面Ｄ３には、変更可能な設定値に対応付けられた複数のボタンｄ５１〜ｄ５４が配置されている。例えば、操作受付部１０２がボタンｄ５３に対する選択操作を受け付けた場合、設定値受付部１０４は、「Combine」の設定項目の設定値を当該選択されたボタンｄ５３に対応付けられた設定値「2 in 1」に変更する。
【００３４】
以上のように、操作キー部７１や表示部７０の前面に配置されたタッチパネルを用いて上下方向へのスクロール操作をユーザーが入力することで、コピー処理を実行する際に設定可能な複数の設定項目のうち所望の設定項目をスクロール表示領域ｄ１０に表示させて、当該所望の設定項目の設定値を変更することができる。
【００３５】
図３に戻って、設定画面Ｄ１には、上記のスクロール表示領域ｄ１０に加えて、スクロール操作を行うためのスクロールバーｄ３０や、記録紙に形成する画像の内容を示すプレビュー画像を表示するためのプレビュー画像領域ｄ４０などが配置されている。また、設定項目リストＤ２の表示範囲を各ボタンに対応付けられた予め定められた範囲に変更するためのボタンｄ１〜ｄ６も設定画面Ｄ１に配置されている。例えば、操作受付部１０２が設定画面Ｄ１に配置されたボタンｄ４に対する選択操作を受け付けた場合、表示制御部１０３は、設定項目リストＤ２の表示範囲を「Color」および「Image Quality」の設定項目を含む範囲に変更する。
【００３６】
更には、設定画面Ｄ１には、ショートカットボタンｄ３１、ｄ３２が配置されている。ショートカットボタンｄ３１、ｄ３２は、設定項目リストＤ２に列挙された複数の設定項目のうちの予め定められた設定項目に対する予め定められた設定値に対応付けられている。設定値受付部１０４は、ショートカットボタンｄ３１、ｄ３２に対する選択操作を操作受付部１０２が受け付けた場合、当該選択されたショートカットボタンに対応付けられた設定項目の設定値を上記の予め定められた設定値に変更する処理を行う。
【００３７】
このショートカットボタンｄ３１、ｄ３２による設定値の変更の際、一般の画像形成装置では、設定画面Ｄ１が図３に示す状態から図７に示す状態に変化することで、ユーザーに設定値が変更されたことを報知する。これらの図に示す例では、「Combine」の設定項目の設定値が「off」から「2 in 1」に変更されている。そして、図７に示す状態では「2 in 1」の設定値が図３に示す変更前の「off」の設定値とは表示態様を異ならせて表示部７０に表示させる。ここで「表示態様を異ならせて」とは、例えば、文字の太さや文字色を変更して表示することを意味する。
【００３８】
しかしながら、上記の一般の画像形成装置の表示方法では、ショートカットボタンｄ３１、ｄ３２の押下という操作を行うことで、設定項目リストＤ２のどの位置に位置している設定項目の設定値が変更されたのかをユーザーが知ることができない。このため、その後ユーザーがショートカットボタンを用いずに設定項目の設定値を変更する場合には、設定項目リスト中のどの位置に変更したい設定項目が位置しているのかを特定する作業が必要となり、設定値の変更に手間がかかってしまう。
【００３９】
本発明は、設定画面Ｄ１の表示方法を工夫することで上記の問題を解消するものである。図８は、本発明の一実施形態にかかる情報処理装置および画像形成装置１の動作の流れを示すフローチャートである。なお本図では、コピー処理を実行する際の設定項目の設定値を変更する際の動作の流れを示す。
【００４０】
操作キー部７１や表示部７０の前面に配置されたタッチパネルを用いてコピー指示が入力され、当該コピー指示を操作受付部１０２が受け付けた場合（ステップＳ１０においてＹＥＳ）、表示制御部１０３は、表示部７０に図３に示す設定画面Ｄ１を表示させる（ステップＳ１１）。
【００４１】
操作受付部１０２が設定画面Ｄ１において設定項目リストＤ２中の設定項目を示す１つの画像に対する選択操作を受け付けると（ステップＳ１２においてＹＥＳ）、表示制御部１０３は、表示部７０に表示させる画面を設定画面Ｄ１から、ステップＳ１２の処理で選択された１つの画像に示された設定項目に対する設定値を変更するための詳細画面Ｄ３（図６を参照）に変更させる（ステップＳ２１）。そして、設定値受付部１０４は、ステップＳ２１の処理で表示された詳細画面Ｄ３に対するユーザー操作に応じて設定値の変更を受け付ける（ステップＳ２２）。
【００４２】
また、操作受付部１０２が設定画面Ｄ１においてショートカットボタンｄ３１又はｄ３２の選択操作を受け付けると（ステップＳ１３においてＹＥＳ）、表示制御部１０３は、表示部７０に表示させる画面を設定画面Ｄ１から、ステップＳ１３の処理で選択されたショートカットボタンに対応付けられた１つの設定項目に対する設定値を変更するための詳細画面Ｄ３に変更させる（ステップＳ１４）。
【００４３】
ステップＳ１４の処理後、表示制御部１０３は、ステップＳ１４の処理で表示した詳細画面Ｄ３において、選択されたショートカットボタンに対応付けられた設定項目における設定値を、ショートカットボタンに対応付けられた設定値に変更した表示に変更させる（ステップＳ１５）。
【００４４】
ステップＳ１５の処理後、表示制御部１０３は、表示部７０に表示させる画面を詳細画面Ｄ３から設定画面Ｄ１に変更させる（ステップＳ１６）。この際、表示制御部１０３は、設定項目リストＤ２中のショートカットボタンに対応付けられた設定項目を示す画像中の現在設定されている設定値を示す情報を、ショートカットボタンに対応付けられた設定値に変更した設定画面Ｄ１を表示部７０に表示させる。
【００４５】
表示制御部１０３は、上記のステップＳ１４〜ステップＳ１６の処理を、ステップＳ１３の処理で選択されたショートカットボタンに対応付けられた全ての設定項目について実行する（ステップＳ１７）。すなわち、表示制御部１０３は、ショートカットボタンが複数の予め定められた設定項目に対応付けられている場合において、当該ショートカットボタンに対する選択操作を操作受付部１０２が受け付けた時、当該ショートカットボタンに対応付けられている複数の予め定められた設定項目のうちのそれぞれの設定項目毎に、順番に上記のステップＳ１４、ステップＳ１５、およびステップＳ１６の処理を実行する。
【００４６】
また、表示制御部１０３は、上記のステップＳ１４、ステップＳ１５、およびステップＳ１６による設定画面Ｄ１と詳細画面Ｄ３との表示の切り替えを高速で行う。具体的には、表示制御部１０３は、上記のステップＳ１４、ステップＳ１５、およびステップＳ１６の処理を、予め定められた時間の間に実行する。
【００４７】
ステップＳ１７の処理後、設定値受付部１０４は、ステップＳ１３の処理で選択されたショートカットボタンに対応付けられた設定値の変更を受け付ける処理を行う（ステップＳ１８）。そして、設定値受付部１０４は、変更後の設定値をＨＤＤ５０に記憶させる。
【００４８】
上記の処理のステップＳ１４〜ステップＳ１７の処理を、図９（Ａ）〜図１１（Ｂ）を用いて具体的に説明する。これらの図では、（１）設定項目「Combine」と設定値「2 in 1」、および（２）設定項目「Paper Selection」と設定値「Cassette 3」に対応付けられたショートカットボタンｄ３１が選択された場合における表示画面の遷移を示している。
【００４９】
操作受付部１０２がショートカットボタンｄ３１の選択を受け付けた場合、表示制御部１０３による制御のもと、表示部７０が表示する表示画面が、図３に示した設定画面Ｄ１から、選択されたショートカットボタンｄ３１に対応付けられた複数の設定項目のうちの１つの設定項目である設定項目「Combine」を設定するための詳細画面Ｄ３（図９（Ａ）を参照）に遷移する。
【００５０】
図９（Ａ）に示す詳細画面Ｄ３は、図９（Ｂ）に示すように、設定項目「Combine」の設定値を選択されたショートカットボタンｄ３１に対応付けられた設定値「2 in 1」に変更した表示に遷移する。
【００５１】
その後、表示制御部１０３による制御のもと、表示部７０が表示する表示画面が、図９（Ｂ）に示した詳細画面Ｄ３から図１０（Ａ）に示す設定画面Ｄ１に遷移する。図１０（Ａ）に示す設定画面Ｄ１は、設定項目リストＤ２中のショートカットボタンｄ３１に対応付けられた設定項目「Combine」を示す画像ｄ１２中の現在設定されている設定値を示す情報が、ショートカットボタンｄ３１に対応付けられた設定値「2 in 1」に変更されている。また、当該変更された設定値は、設定項目リストＤ２中の他の設定値とは表示態様を異ならせて表示部７０に表示されている。具体的には、表示制御部１０３による制御のもと、文字の太さや文字色を異ならせることにより他の設定値と表示態様が異ならせている。
【００５２】
図１０（Ａ）の表示後、選択されたショートカットボタンｄ３１に対応付けられた複数の設定項目のうちのもう１つの設定項目である設定項目「Paper Selection」について、上記と同様の表示処理が行われる。これにより、表示部７０が表示する表示画面が、図１０（Ａ）に示す状態から、図１０（Ｂ）→図１１（Ａ）→図１１（Ｂ）に遷移する。
【００５３】
このように、ショートカットボタンが選択された際に上記の表示を行うことにより、当該ショートカットボタンの選択により変更された設定項目が設定項目リストのどの位置に位置しているかをユーザーに知らせることができる。これにより、その後ユーザーがショートカットボタンを用いずに設定項目の設定値を変更する場合に、ユーザーが設定項目リスト中のどの位置に変更したい設定項目が位置しているのかを特定することなく設定値を変更することができる。
【００５４】
なお、本発明は、上記の実施の形態の構成に限られず種々の変形が可能である。
【００５５】
＜変形例１＞
表示制御部１０３は、上記のステップＳ１４〜ステップＳ１７の処理中に、設定画面または詳細画面に対する選択操作を操作受付部１０２が受け付けた場合、上記のステップＳ１４〜ステップＳ１７の処理における設定画面と詳細画面との画面の切り替えを停止させてもよい。
【００５６】
上記の処理を行うことにより、ユーザーが既にショートカットボタンの選択により変更された設定項目が設定項目リストのどの位置に位置しているかを把握している場合には、上記の設定画面と詳細画面との画面の切り替え表示を停止させることができる。
【００５７】
＜変形例２＞
表示制御部１０３は、ショートカットボタンに対する選択操作を操作受付部１０２が受け付けた場合において、当該選択操作が予め定められた種別の選択操作である時に、上記のステップＳ１４〜ステップＳ１７の処理を行い、当該選択操作が予め定められた種別以外の選択操作である時に、上記のステップＳ１４〜ステップＳ１７の処理を行わずに、設定項目リスト中の現在設定されている設定値を示す情報を選択されたショートカットボタンに対応付けられた設定値に変更した表示にする処理を行ってもよい。
【００５８】
上記の予め定められた種別の選択操作とは、例えば、予め定められた時間以上の選択操作であるロングタッチ操作や、２回連続した選択操作であるダブルタッチ操作が該当する。このロングタッチ操作やダブルタッチ操作によりショートカットボタンが選択された場合、表示制御部１０３は、上記のステップＳ１３、ステップＳ１４、およびステップＳ１５の処理を行う。一方、通常のタッチ操作によりショートカットボタンが選択された場合、表示制御部１０３は、上記のステップＳ１４〜ステップＳ１７の処理を行わずに、設定項目リスト中の現在設定されている設定値を示す情報を選択されたショートカットボタンに対応付けられた設定値に変更した表示にする処理を行う。この表示制御部１０３による制御により、表示部７０に表示される表示画面は、図３に示す設定画面Ｄ１から、図９（Ａ）〜図１１（Ａ）の画面に遷移することなく、図１１（Ｂ）に示す設定画面に遷移する。
【００５９】
このように変形例２にかかる情報処理装置、画像形成装置、および情報処理プログラムによれば、ユーザーがショートカットボタンを選択する際の操作を変更することにより、上記の２通りの表示処理のうちの所望の表示処理により表示部７０が表示する表示画面を表示させることができる。
【００６０】
＜その他の変形例＞
また、上記実施の形態で説明した情報処理プログラムをコンピューター読み取り可能な非一時的な記録媒体、例えば、ハードディスク、ＣＤ−ＲＯＭ、ＤＶＤ−ＲＯＭ、半導体メモリーなどに記録したものとしてもよい。
【００６１】
また上記の実施の形態では、本発明の一実施形態にかかる情報処理装置を備えた装置の一例として画像形成装置を示したが本発明は必ずしもこの場合に限定されない。本発明の一実施形態にかかる情報処理装置は、画像形成装置の他に、例えば、タブレット端末やスマートフォンなどの携帯端末、パーソナルコンピューター、テレビなどが備えることも可能である。
【符号の説明】
【００６２】
１     画像形成装置
２     装置本体
１０   原稿読取部
３０   画像形成部
７０   表示部
１００ 制御ユニット
１０１ 制御部
１０２ 操作受付部
１０３ 表示制御部
１０４ 設定値受付部
【図１】
2018186402.tif 000003
【図２】
2018186402.tif 000004
【図３】
2018186402.tif 000005
【図４】
2018186402.tif 000006
【図５】
2018186402.tif 000007
【図６】
2018186402.tif 000008
【図７】
2018186402.tif 000009
【図８】
2018186402.tif 000010
【図９】
2018186402.tif 000011
【図１０】
2018186402.tif 000012
【図１１】
2018186402.tif 000013